(57)【特許請求の範囲】
【請求項１】
常温で強磁性を示さない材料で成形され両端が開口した中空状のケース内に、軸線方向に貫通孔が穿設された常温で強磁性を示す金属を含んでなる円柱状の錘を遊挿し、該錘の貫通孔に棒状のシャフトを挿通させ、該シャフトの先端を磁石を成形してなるキャップに固定しつつ該磁石を成形してなるキャップを上記中空状のケースの先端に嵌合し、上記シャフトの後端を弾性材料を成形してなるクッション機能を有するキャップに固定しつつ該クッション機能を有するキャップを上記中空状のケースの後端に嵌合してなることを特徴とするルアーに固定する重心移動装置。
【請求項２】
前記磁石を成形してなるキャップおよび前記クッション機能を有するキャップは、前記錘が接触する面の中央に凹部が設けられ、前記棒状のシャフトの両端を上記凹部にそれぞれ嵌め込んで固定してなる請求項１記載の重心移動装置。
【請求項３】
前記棒状のシャフトは、燐青銅からなるシャフトである請求項１または２記載の重心移動装置。
【請求項４】
請求項１ないし３のいずれかに記載の重心移動装置を用いたルアーの製造方法であって、ルアーは長手方向に略２等分割されてなるルアー本体半片を構成し、このルアー本体半片に上記重心移動装置を固定する溝を有する固定リブが形成される内部空間を設け、上記固定リブに上記重心移動装置の中空状のケース側面を固着することを特徴とするルアーの製造方法。
【発明の詳細な説明】
【０００１】
【発明の属する技術分野】
本発明は、小魚の形状に似せて成形された擬餌に釣り針を備えてなるルアーの内部に固定される重心移動装置及びこれを用いたルアーの製造方法に関するものである。
【０００２】
【従来の技術】
従来より、図５に示すルアーのように、腹部側に設置されている金具１３と尾部先端に設置されている金具１４とに釣り針が取り付けられ、頭部先端に設置されている金具１２に釣り糸が結ばれて使用されるものが知られている。そして、このルアーの錘２ａは常温で強磁性を示す金属によって形成されていて、キャスティング時にはルアー本体１の隔壁５で形成された移動空間４の尾部側に移動して飛距離を伸ばし、着水後の釣り糸引き寄せ時には移動空間４の腹部側中央に固定された磁石片３に磁着して、泳ぎのバランスを安定させようとするものである。
【０００３】
又、図６に示すルアーのように、円柱形の錘２ｂの軸線方向に貫通孔２ｃを穿設し、この貫通孔２ｃにステンレス製等の鋼線からなる棒状シャフト７を挿通し、このシャフト７の長手方向が内部空間６の長手方向と一致するようにしてシャフト７の両端を固定し、遠投時には錘２ｂがルアー本体１の尾部側に移動して飛距離を伸ばし、着水後の釣り糸引き寄せ時には錘２ｂがルアー本体１の腹部側中央に移動して泳ぎのバランスを安定させようとするものも知られている。
【０００４】
【発明が解決しようとする課題】
しかしながら、図５に示すルアーは、錘２ａの移動時に移動空間４を仕切る隔壁５に衝突して雑音が発生し易いので、これを防ぐためには錘２ａの直径と移動空間４の短手方向の長さとが略同じになるようにして、錘２ａが移動可能な最小限の隙間とする必要があり、通常のルアーと比較して製造コストが高くなっていた。
【０００５】
又、ルアー本体１全体を木材によって成形した場合には、湿気によって木材が膨張すると移動空間４が変形し、錘２ａが移動できなくなる可能性があるため上記構成を採用することは出来なかった。
【０００６】
さらに、図６に示すルアーは、錘移動時の雑音の発生を低減させることはできるものであるが、後端に円柱状の錘２ｂが衝突した時に発生する衝撃音を低減させる必要があった。さらに、棒状シャフト７及び錘２ｂの設置作業を容易にしてコストを低減させる必要もあった。
【０００７】
本発明は、上記点に鑑み、ルアー本体に内蔵する錘の移動によって発生する雑音を減少させるとともに、ルアーの製造を容易にしてコスト低減を図ることができる重心移動装置及びこれを用いたルアーの製造方法を提供することを目的とする。
【０００８】
【課題を解決するための手段】
本発明は、常温で強磁性を示さない材料で成形され両端が開口した中空状のケース内に、軸線方向に貫通孔が穿設された常温で強磁性を示す金属を含んでなる円柱状の錘を遊挿し、該錘の貫通孔に棒状のシャフトを挿通させ、該シャフトの先端を磁石を成形してなるキャップに固定しつつ該磁石を成形してなるキャップを上記中空状のケースの先端に嵌合し、上記シャフトの後端を弾性材料を成形してなるクッション機能を有するキャップに固定しつつ該クッション機能を有するキャップを上記中空状のケースの後端に嵌合してなることを特徴とするルアーに固定する重心移動装置を要旨とする。
【０００９】
又、前記磁石を成形してなるキャップおよび前記クッション機能を有するキャップは、前記錘が接触する面の中央に凹部が設けられ、前記棒状のシャフトの両端を上記凹部にそれぞれ嵌め込んで固定してなる重心移動装置を要旨とする。
【００１０】
さらに、前記棒状のシャフトは、燐青銅からなるシャフトである重心移動装置を要旨とする。
【００１１】
又、請求項１ないし３のいずれかに記載の重心移動装置を用いたルアーの製造方法であって、ルアーは長手方向に略２等分割されてなるルアー本体半片を構成し、このルアー本体半片に上記重心移動装置を固定する溝を有する固定リブが形成される内部空間を設け、上記固定リブに上記重心移動装置の中空状のケース側面を固着することを特徴とするルアーの製造方法を要旨とする。
【００１２】
【発明の実施の形態】
以下、本発明の実施の形態を図面に基づいて説明する。図１は本発明に係る種々の重心移動装置を示す図である。図１（ａ）に示す重心移動装置８ａは、プラスチック、アルミ、真鍮又は銅等の磁石が磁着しない材料（即ち、常温で強磁性を示さない材料）で作った両端が開口した中空状のケース１１内に鉄分を含んだタングステンを円柱状に加工した錘２ｄを遊挿し、中空状のケース１１の先端に磁石をキャップ状に成形した磁石キャップ９ａを嵌合し、後端に軟質プラスチック又はゴム等の弾性材料を成形したクッションキャップ１０ａを嵌合している。
【００１３】
又、図１（ｂ）に示す重心移動装置８ｂは、中空状のケース１１内に円柱の軸線方向に貫通孔を穿設してなる錘２ｂを遊挿し、この錘２ｂの貫通孔に燐青銅からなる棒状シャフト７を挿通して、この棒状シャフト７の両端を、磁石キャップ９ｂ又はクッションキャップ１０ｂの錘が接触する面の中央に設けられた凹部に嵌め込んで固定したものである。
【００１４】
さらに、図１（ｃ）に示す重心移動装置８ｃは、上記図１（ａ）で示した円柱状の錘２ｄを球状の錘２ａに変えたものであり、球状の錘２ａは中空状のケース１１内を転動して移動するものである。
【００１５】
又、図１（ｄ）に示す重心移動装置８ｄは、上記図１（ｂ）で示した重心移動装置８ｂにおいて、貫通孔が穿設された円柱状の錘２ｂを球の軸線方向に貫通孔が穿設された錘２ｅに変えたものであり、この錘２ｅの貫通孔に燐青銅からなる棒状シャフト７を挿通して、この棒状シャフト７の両端を、磁石キャップ９ｂ又はクッションキャップ１０ｂの錘が接触する面の中央に設けられた凹部に嵌め込んで固定したものである。
【００１６】
さらに、図１（ｅ）で示す重心移動装置８ｅは、中空状のケース１１ｄの長手方向の断面が直線状ではなく、曲線状となるように成形したものを使用し、内部には球状の錘２ａを挿入したものである。この錘２ａは中空状のケース１１ｄ内を転動して移動するものであり、中空状のケース１１ｄの先端に磁石キャップ９ｃを嵌合し、後端にクッションキャップ１０ｃを嵌合している。
【００１７】
図２はルアー本体と、重心移動装置とが分解された状態を示す説明図である。この図を利用して本発明に係るルアーの製造方法を説明する。ルアーは長手方向に略２等分割されてなるルアー本体半片１ａ，１ｂと、重心移動装置８とを有するものである。又、ルアー本体半片１ａは内部空間を有するものであり、この内部空間には重心移動装置８を固定する溝を有した固定リブ１５ａ，１５ｂが形成されている。同様にして、ルアー本体半片１ｂも、図示していないが内部空間を有するものであり、重心移動装置８を固定する溝を有した固定リブが形成されている。そして、頭部先端には釣り糸が結ばれる金具１２が設置され、同様にして、腹部側には釣り針が取り付けられる金具１３が設置され、尾部先端にも釣り針が取り付けられる金具１４が設置される。次に、固定リブ１５ａ，１５ｂに上述した重心移動装置８の中空状のケース１１の側面が接着剤等で固着されつつ、ルアー本体半片１ａ，１ｂは接着剤等が塗布された状態で重ね合わされてルアーの組立てが完了するのである。
【００１８】
図３はルアー本体半片に重心移動装置が固着された状態を示す説明図である。図３（ａ），（ｂ）に示す構成は、ルアー本体がプラスチックで成形された場合を示す図である。図３（ａ）に示すルアー１ａは腹部側の長手方向が略直線状となっているルアーであり、この場合には長手方向の断面が直線状である中空状のケースを使用した重心移動装置８ａが使用される。図３（ｂ）に示すルアー１ｃは腹部側の長手方向が曲線状となっているルアーであり、この場合には長手方向の断面が曲線状である中空状のケースを使用した重心移動装置８ｅが使用される。
【００１９】
又、図３（ｃ）に示す構成はルアー本体が木材で成形された場合を示す図である。この場合、ルアー本体半片１ｄは内側に重心移動装置８ａが設置される空間が設けられていて、ここに重心移動装置８ａの半分が収容されるのである。さらに、この木材からなるルアー本体半片１ｄには釣り糸通し金具部１２ａと釣り針通し金具部１３ａ，１４ａとが一体となった長尺な金具１６が収容される空間が設けられた構成としている。したがって、湿気によってルアー本体が膨張しても重心移動装置８ａの内部が影響を受けることはないのである。
【００２０】
図４は本発明に係る種々の重心移動装置を示す図である。上述したとおり、球状の錘２ａを使用する場合には図４（ａ）に示す重心移動装置８ｃのように、円筒ケース１１ａの内径が錘２ａの直径よりも僅かに大きいものを使用して磁石キャップ９１ａと、クッションキャップ１０１ａとを円筒ケース１１ａの両端に嵌合する形状とすればよい。又、図４（ｂ）に示す重心移動装置８ｆのように円柱の錘２ｆを横向きにして中空状のケース１１ｂ内を転動させる場合には中空状のケース１１ｄの外形を四角柱状とすればよく、この中空状のケース１１ｂ内側の短手方向の長さが円柱の錘２ｆの幅よりも僅かに大きく設定されていればよい。さらに、図４（ｂ）に示した錘２ｆよりも重さを軽くしたい場合や、ルアー本体の幅方向が短いものについて使用する場合には図４（ｃ）に示す重心移動装置８ｇのように中空四角柱状のケース１１ｃの短手方向の長さを短くし、これに対応させるように錘２ｇの幅を短くすればよいものである。又、図４（ｄ）に示す重心移動部材８ａのように円柱の錘２ｄを縦向きにして円筒ケース内を摺動させる場合には図４（ａ）と同様の円筒ケース１１ａを使用すればよく、この場合にも円筒ケース１１ａの内径が錘２ｄの直径よりも僅かに大きいものを使用すればよい。さらに、錘２ｄの重さを軽くしたい場合にも図４（ｅ）に示す重心移動部材８ｈのように円柱状の錘２ｄを短く切断してなる錘２ｈを使用すればよい。このように円柱状の錘２ｄ又は２ｈの長さを調節することによって、フローティングと呼ばれる水に浮く軽いルアー、サスペンドと呼ばれる水と同比重のルアー、あるいはシンキングと呼ばれる水中に沈むルアー等、様々なバリエーションのルアーを製造することができるのである。
【００２１】
尚、本発明の趣旨を逸脱しない範囲において、種々なる実施の態様をとることができることは無論である。例えば、上記磁石キャップ９ａ，９ｂ，９ｃ等は磁石をキャップ状に成形したものとしているが、錘２ａ，２ｂ等が接触する面のみに磁石片を貼り付けたキャップであってもよいものである。又、上記錘の材質は鉄分を含んだタングステンに限定されるものではなく、常温で強磁性を示す金属を含んでなる錘であればよいものである。さらに、中空状のケースの先端に嵌合する磁石キャップに変えて鉄分を含むキャップ等の常温で強磁性を示す金属を含んだキャップとしてもよいものである。この場合には挿入される錘を円柱状とし、この円柱状の錘の前側部分を磁石片とし、後側部分をタングステン等の比重の重い金属とすればよい。
【００２２】
【発明の効果】
以上のように、重心移動装置にかかる本発明によれば、錘の移動による雑音を減少させることができ、予め錘の重さを適宜変更した複数の重心移動装置を準備しておけば、同じ形状のルアー本体を使用して錘の重さの異なる複数のルアーを容易に製造することができる。
【００２３】
又、上記重心移動部材を用いたルアーの製造方法にかかる本発明によれば、ルアー本体の成形においてバラツキがあっても重心移動装置を組み込んだルアーは錘の移動時に雑音の発生を減少させることができ、不良品を減少させコスト低減を図ることができる。しかも、重心移動装置のケースの内側面に錘が接触することがなく、雑音を抑えることができる。
【図面の簡単な説明】
【図１】本発明に係る重心移動装置を示す説明図である。
【図２】本発明に係る重心移動装置とルアーとを示す分解図である。
【図３】本発明に係る重心移動装置を組み込んだルアーを示す説明図である。
【図４】本発明に重心移動装置の実施形態を示す説明図である。
【図５】従来の重心移動式ルアーを示す説明図である。
【図６】従来の重心移動式ルアーを示す説明図である。
【符号の説明】
１  ルアー本体
２ａ，２ｂ  錘
２ｃ  貫通孔
３  磁石片
４  移動空間
５  隔壁
６  内部空間
７  棒状シャフト
８  重心移動装置
９  磁石キャップ
１０  クッションキャップ
１５ａ，１５ｂ，１５ｃ，１５ｄ  固定リブ
【図１】
0003592626.tif 000002
【図２】
0003592626.tif 000003
【図３】
0003592626.tif 000004
【図４】
0003592626.tif 000005
【図５】
0003592626.tif 000006
【図６】
0003592626.tif 000007